(57)【要約】【課題】  両キャビネットの開閉状態に拘わらずスピーカからの音波をユーザに向けて放出することが出来る折り畳み式電子機器を提供する。【解決手段】  本発明に係る折り畳み式電子機器において、ヒンジ機構３は、第１キャビネット１の端部に第２キャビネット２へ向けて突設された円筒状の第１駒部13と、第２キャビネット２の端部に第１キャビネット１へ向けて突設された左右一対の第２駒部23、23とを相対回転可能に連結して構成されている。第１駒部13には、両キャビネット１、２を開いた状態で第１キャビネット１の内面側に露出すると共に、両キャビネット１、２を閉じた状態で第２キャビネット２の背面側に露出することとなる位置に、第１キャビネット１に内蔵されたスピーカから発せられる音波を放出するための放音孔14が開設されている。【選択図】      図１
2005110115.tif 000002
【特許請求の範囲】
【請求項１】
第１キャビネット(１)と第２キャビネット(２)がヒンジ機構(３)を介して互いに開閉可能に連結され、何れか一方のキャビネットにはスピーカ(41)が内蔵されている折り畳み式電子機器において、前記ヒンジ機構(３)には、両キャビネット(１)(２)を開いた状態で第１キャビネット(１)の内面側に露出すると共に、両キャビネット(１)(２)を閉じた状態で第２キャビネット(２)の背面側に露出することとなる位置に、前記スピーカ(41)から発せられる音波を放出するための放音孔(14)が開設されていることを特徴とする折り畳み式電子機器。
【請求項２】
第１キャビネット(１)と第２キャビネット(２)がヒンジ機構(３)を介して互いに開閉可能に連結され、両キャビネット(１)(２)を開くことによって露出することとなるキャビネット内面には、画像表示部とキー操作部が配備されると共に、第１キャビネット(１)にはスピーカ(41)が内蔵されている折り畳み式電子機器において、
前記ヒンジ機構(３)は、第１キャビネット(１)の端部に第２キャビネット(２)へ向けて突設された第１駒部(13)と、第２キャビネット(２)の端部に第１キャビネット(１)へ向けて突設された第２駒部(23)とを具え、両駒部(13)(23)は同軸上にて互いに相対回転可能に連結され、第１駒部(13)には、両キャビネット(１)(２)を開いた状態で第１キャビネット(１)の内面側に露出すると共に、両キャビネット(１)(２)を閉じた状態で第２キャビネット(２)の背面側に露出することとなる位置に、前記スピーカ(41)から発せられる音波を放出するための放音孔(14)が開設されていることを特徴とする折り畳み式電子機器。
【請求項３】
第１駒部(13)の内部には、前記スピーカ(41)の放音面から放音孔(14)へ至る音響通路を形成すべきダクト部材(５)が配備されている請求項２に記載の折り畳み式電子機器。
【請求項４】
第１キャビネット(１)には、両キャビネット(１)(２)を閉じた状態で第２キャビネット(２)によって覆われることとなる位置に、スピーカ(41)から発せられる音波を放出するためのサブ放音孔(15)が開設されている請求項１乃至請求項３の何れかに記載の折り畳み式電子機器。
【発明の詳細な説明】
【技術分野】
【０００１】
本発明は、折り畳み式携帯電話機の如く、一対の扁平なキャビネットをヒンジ機構を介して互いに開閉可能に連結して構成される折り畳み式電子機器に関し、特にスピーカを内蔵した折り畳み式電子機器に関するものである。
【背景技術】
【０００２】
近年、折り畳み式携帯電話機においては、小型化や薄型化が進むと共に多機能化が進んでおり、両キャビネットを閉じた状態でも通話やメールの送受信が可能な折り畳み式携帯電話機の開発が進んでいる(例えば特許文献１〜特許文献３参照)。
【０００３】
ところで、折り畳み式携帯電話機においては、両キャビネットを開いた状態で露出することとなるキャビネットの内面に操作キーやディスプレイが配備され、着信音等を放出するための放音孔は、例えばキャビネットの背面に配備されている。
図９に示す折り畳み式携帯電話機は、本体キャビネット(81)と蓋体キャビネット(82)をヒンジ機構(83)を介して開閉可能に連結して構成され、本体キャビネット(81)には、着信音等を放音するためのスピーカ(図示省略)が内蔵されている。又、本体キャビネット(81)の背面には、スピーカから発せられる音波を放出するための放音孔(84)が開設されている。
【０００４】
しかしながら、該折り畳み式携帯電話機においては、両キャビネット(81)(82)を閉じた状態で机の上に置いた場合、本体キャビネット(81)の背面が机の表面に接して、放音孔(84)が塞がれるため、スピーカから発せられた音が本体キャビネット(81)の内部に籠もってしまい、この結果、ユーザは着信音を明瞭に聞き取ることが出来ない問題があった。
【０００５】
そこで、図１０及び図１１に示す如く蓋体キャビネット(92)の背面に放音孔(94)を開設した折り畳み式携帯電話機が提案されている。該折り畳み式携帯電話機は、本体キャビネット(91)と蓋体キャビネット(92)をヒンジ機構(93)を介して開閉可能に連結して構成されており、本体キャビネット(91)の内面には複数の操作キー(図示省略)が配備されると共に、蓋体キャビネット(92)の内面にはメインディスプレイ(図示省略)が配備されている。又、蓋体キャビネット(92)には、着信音等を放音するためのスピーカ(図示省略)が内蔵されており、蓋体キャビネット(92)の背面には、前述の如くスピーカからの音波を放出するための放音孔(94)が開設されると共に、サブディスプレイ(95)が配備されている。
【０００６】
該折り畳み式携帯電話機においては、両キャビネット(91)(92)を閉じた状態で机の上に置いた場合にも、放音孔(94)が塞がれることはないので、スピーカから発せられた音が本体キャビネット(91)の内部に籠もることはなく、これによって、ユーザは着信音を明瞭に聞き取ることが出来る。
【特許文献１】特開２００３−１８２５７号公報[H04M1／02]
【特許文献２】特開２００３−５１８７１号公報[H04M1／02]
【特許文献３】特開２００３−１３４２０１号公報[H04M1／02]
【発明の開示】
【発明が解決しようとする課題】
【０００７】
しかしながら、該折り畳み式携帯電話機においては、ユーザが図１１の如く両キャビネット(91)(92)を開き、ディスプレイを見ながら操作キーを操作している状態で、放音孔(94)がユーザとは反対側を向くことになるので、ユーザは十分な音量で着信音を聞くことが出来ない問題があった。
そこで本発明の目的は、両キャビネットの開閉状態に拘わらず、スピーカから発せられる音響を明瞭に然も十分な音量で聞くことが出来る折り畳み式電子機器を提供することである。
【課題を解決するための手段】
【０００８】
本発明に係る折り畳み式携帯電子機器においては、第１キャビネット(１)と第２キャビネット(２)がヒンジ機構(３)を介して互いに開閉可能に連結され、何れか一方のキャビネットにはスピーカ(41)が内蔵されている折り畳み式電子機器において、前記ヒンジ機構(３)には、両キャビネット(１)(２)を開いた状態で第１キャビネット(１)の内面側に露出すると共に、両キャビネット(１)(２)を閉じた状態で第２キャビネット(２)の背面側に露出することとなる位置に、前記スピーカ(41)から発せられる音波を放出するための放音孔(14)が開設されている。
【０００９】
本発明に係る折り畳み式電子機器のより具体的な構成においては、第１キャビネット(１)と第２キャビネット(２)がヒンジ機構(３)を介して互いに開閉可能に連結され、両キャビネット(１)(２)を開くことによって露出することとなるキャビネット内面には、画像表示部とキー操作部が配備されると共に、第１キャビネット(１)にはスピーカ(41)が内蔵されている。
前記ヒンジ機構(３)は、第１キャビネット(１)の端部に第２キャビネット(２)へ向けて突設された第１駒部(13)と、第２キャビネット(２)の端部に第１キャビネット(１)へ向けて突設された第２駒部(23)とを具え、両駒部(13)(23)は同軸上にて互いに相対回転可能に連結されている。第１駒部(13)には、両キャビネット(１)(２)を開いた状態で第１キャビネット(１)の内面側に露出すると共に、両キャビネット(１)(２)を閉じた状態で第２キャビネット(２)の背面側に露出することとなる位置に、前記スピーカ(41)から発せられる音波を放出するための放音孔(14)が開設されている。
【００１０】
上記本発明に係る折り畳み式電子機器においては、両キャビネット(１)(２)を開くことによって、キャビネットの内面に画像表示部及びキー操作部が露出すると共に、ヒンジ機構(３)の第１駒部(13)のキャビネット内面側の表面が露出し、これに伴って放音孔(14)が露出することになる。ここで、該放音孔(14)は、画像表示部を見ながらキー操作を行なっているユーザの方向を向いているため、スピーカ(41)から発せられる音波は放音孔(14)からユーザに向けて放出される。
【００１１】
又、第２キャビネット(２)を回動させて両キャビネット(１)(２)を閉じる過程で、ヒンジ機構(３)の第１駒部(13)のキャビネット内面側の表面は第２キャビネット(２)によって一時的に覆われるが、両キャビネット(１)(２)を完全に閉じることによって、画像表示部及びキー操作部が両キャビネット(１)(２)の内側に隠れ、前記第１駒部(13)の表面が再び露出し、これに伴って放音孔(14)が第２キャビネット(２)の背面側に露出することになる。ここで、該放音孔(14)はユーザの方向を向いているため、スピーカ(41)から発せられる音波は放音孔(14)からユーザに向けて放出される。
又、両キャビネット(１)(２)を閉じた状態で机の上に置いた場合においても、放音孔(14)が塞がれることはないので、スピーカ(41)から発せられた音波は、第１キャビネット(１)の内部に籠もることなく外部へ放出される。従って、ユーザは着信音を明瞭に聞き取ることが出来る。
【００１２】
具体的構成において、第１駒部(13)の内部には、前記スピーカ(41)の放音面から放音孔(14)へ至る音響通路を形成すべきダクト部材(５)が配備されている。
該具体的構成において、スピーカ(41)の放音面から発せられた音波は、ダクト部材(５)の内部に形成される音響通路を経て、放音孔(14)へ導かれる。従って、スピーカ(41)から発せられた音波は、ダクト部材(５)の外側へ漏出することなく、放音孔(14)から放出される。
【００１３】
更に具体的な構成において、第１キャビネット(１)には、両キャビネット(１)(２)を閉じた状態で第２キャビネット(２)によって覆われることとなる位置に、スピーカ(41)から発せられる音波を放出するためのサブ放音孔(15)が開設されている。
【００１４】
該具体的構成においては、両キャビネット(１)(２)を開くことによって、放音孔(14)とサブ放音孔(15)の両方が第１キャビネット(１)の内面側に露出することとなり、これによって、スピーカ(41)からの音波は、２つの放音孔(14)(15)から第１キャビネット(１)の外部に放出されることになる。従って、ユーザは、両キャビネット(１)(２)を開くことにより、スピーカ(41)から発せられる音響を十分な音量で聞くことが出来る。
【発明の効果】
【００１５】
上記本発明に係る折り畳み式電子機器によれば、２つのキャビネットの開閉状態に拘わらず、スピーカから発せられる音響を明瞭に然も十分な音量で聞くことが出来る。
【発明を実施するための最良の形態】
【００１６】
以下、本発明を折り畳み式携帯電話機に実施した形態につき、図面に沿って具体的に説明する。
本発明に係る折り畳み式携帯電話機は、図１に示す如く、第１キャビネット(１)と第２キャビネット(２)をヒンジ機構(３)を介して回転可能に連結して構成されている。第１キャビネット(１)は、前面キャビネット半体(16)と背面キャビネット半体(17)を接合して構成され、第２キャビネット(２)も同様のキャビネット構成を有している。
【００１７】
第１キャビネット(１)の内面には、複数の操作キー(11)が配備され、ヒンジ機構(３)と反対側の端部には、送話部(12)が配備されている。
一方、第２キャビネット(２)の内面には、メインディスプレイ(21)が配備され、ヒンジ機構(３)と反対側の端部には、受話部(22)が配備されている。又、図２に示す如く、第２キャビネット(２)の背面には、サブディスプレイ(24)が配備されており、サブディスプレイ(24)よりもヒンジ機構(３)側には、カメラ窓(25)が配備されている。又、ヒンジ機構(３)と反対側の端部には、リング状のシーソーキー(26)が配備されている。
【００１８】
図３及び図４に示す如く、ヒンジ機構(３)は、第１キャビネット(１)の上端部に突設された円筒状の第１駒部(13)と、第２キャビネット(２)の下端部に突設された左右一対の第２駒部(23)(23)とを同軸上に配備すると共に、第１駒部(13)と第２駒部(23)の中央孔にヒンジアセンブリ(30)を嵌入せしめて構成されている。
第１駒部(１)の表面は、図１に示す如く両キャビネット(１)(２)を開いた状態でキャビネット内面側に露出すると共に、図２に示す如く両キャビネット(１)(２)を閉じた状態で第２キャビネット(２)の背面側に露出することになる。
第１駒部(13)は、図３に示す如く、前面キャビネット半体(16)に突設された第１駒片(18)と背面キャビネット半体(17)に形成された第２駒片(19)とを接合して構成されている。又、右側の第２駒部(23)は、第１駒部(13)の右側面と対向しており、両駒部(23)(13)の中央孔には、両キャビネット(１)(２)を開いた状態と閉じた状態でクリック音を発生するヒンジアセンブリ(30)が嵌入して、両駒部(23)(13)を互いに相対回転可能に連結している。又、図４に示す如く、左側の第２駒部(23)は、第１駒部(13)の左側面と対向しており、両駒部(23)(13)の中央孔には円筒体(31)が嵌入して、両駒部(23)(13)を互いに相対回転可能に連結している。
【００１９】
又、第２キャビネット(２)には、ディスプレイアセンブリ(図示省略)が内蔵されており、該ディスプレイアセンブリから帯状のフレキシブルリード(43)が引き出され、該フレキシブルリード(43)は、その中央部が円筒体(31)の内部にて巻回された状態で、先端部が第１キャビネット(１)の内部に向かって伸びている。
【００２０】
図３に示す如く、第１キャビネット(１)を構成する前面キャビネット半体(16)と背面キャビネット半体(17)の間には、基板アセンブリ(４)が配備され、該基板アセンブリ(４)の表面には、キーシート装置(40)が設置されている。
図６に示す如く、基板アセンブリ(４)には、ヒンジ機構(３)側の端部に、第１キャビネット(１)の内面に向けて放音面を有する円盤状のスピーカ(41)が配備されており、該スピーカ(41)の放音面は、クッション部材(図示省略)を介して図３に示す防塵ネット(42)によって覆われている。
図７に示す如く、第１駒片(18)には、スピーカ(41)の放音面と対向する位置に、ヒンジ機構(３)の回転軸方向に伸びるスリット状のメイン放音孔(14)が開設されている。又、前面キャビネット半体(16)には、スピーカ(41)の放音面と対向する位置に、複数の貫通孔からなるサブ放音孔(15)が開設されている。
【００２１】
図４に示す如く、第１駒部(13)の内部には、スピーカ(41)の放音面からメイン放音孔(14)へ至る音響通路を形成すべきダクト部材(５)が収容されている。
該ダクト部材(５)は、図５に示す如く、一対の側板(55)(55)と背板(56)からなるフレーム部(50)を具え、該フレーム部(50)の一方の端部には、スピーカ(41)の放音面に圧着すべきスピーカ圧着部(51)が形成されると共に、他方の端部には、一対の側板(55)(55)を連結する連結部(53)が形成されて、メイン放音孔(14)と対向すべき開口部(52)が形成されている。又、該開口部(52)の周囲は、弾性を有する合成樹脂製のシール部材(54)によって覆われている。
【００２２】
ダクト部材(５)は、図７に示す如く、開口部(52)をメイン放音孔(14)に対向させると共に、スピーカ圧着部(51)をスピーカ(41)の放音面に圧接した状態で、第１駒部(13)の内部に収容されている。ここで、スピーカ圧着部(51)がスピーカ(41)に圧着されることにより、シール部材(54)がダクト部材(５)に押圧されて、ダクト部材(５)と第１駒部(13)の内壁との間のシールが図られている。この結果、スピーカ(41)の放音面とメイン放音孔(14)を繋ぐ音響通路が形成されることとなる。従って、スピーカ(41)の放音面から発せられる音波は殆ど全てが該音響通路を経てメイン放音孔(14)から第１キャビネット(１)の外部に放出される。
【００２３】
上記本発明の折り畳み式携帯電話機において、図２に示す如く両キャビネット(１)(２)を閉じた状態では、第１駒部(13)のメイン放音孔(14)が第２キャビネット(２)の背面側に露出する。第２キャビネット(２)の背面には、サブディスプレイ(24)、シーソーキー(26)及びカメラ窓(25)が配備されているため、ユーザは、キー操作やカメラ撮影を行なうことが出来る。この状態で、メイン放音孔(14)はユーザの方向を向いているので、着信時にスピーカ(41)から発せられた音波はメイン放音孔(14)からユーザに向けて放出されることになる。
又、両キャビネット(１)(２)を閉じた状態で第２キャビネット(２)の背面を上に向けて机の上に置いた場合においても、メイン放音孔(14)が塞がれることはないので、着信時にスピーカ(41)から発せられた音波は、本体キャビネット(１)の内部に籠もることなく外部へ放出される。
【００２４】
図２に示す閉じ状態から第２キャビネット(２)を回動させて、図１に示す如く両キャビネット(１)(２)を開くと、メインディスプレイ(21)及び操作キー(11)がキャビネット内面に露出すると共に、メイン放音孔(14)及びサブ放音孔(15)がキャビネット内面側に露出することになる。ここで、メイン放音孔(14)及びサブ放音孔(15)は、メインディスプレイ(21)を見ながらキー操作を行なっているユーザの方向を向いているため、着信時にスピーカ(41)から発せられた音波は、メイン放音孔(14)及びサブ放音孔(15)からユーザに向けて放出されることになる。
【００２５】
上述の如く、本発明の折り畳み式携帯電話機によれば、両キャビネット(１)(２)の開閉に拘わらず、着信時にスピーカ(41)から発せられる音波はユーザに向かって放出されるので、ユーザは、十分な音量で着信音を聞くことが出来る。
又、両キャビネット(１)(２)を閉じた状態で机の上に置いた場合においても、スピーカ(41)から発せられた音波は第１キャビネット(１)の内部に籠もることなく外部へ放出されるので、ユーザは、着信音を明瞭に聞き取ることが出来る。
【００２６】
図８は、上記本発明の折り畳み式携帯電話機と図９に示す従来の折り畳み式携帯電話機の閉じ状態における音圧特性を比較したグラフである。グラフの横軸はスピーカから発せられる音波の周波数を示し、グラフの縦軸は該音波の音圧レベルを示しており、曲線Ａが本発明の折り畳み式携帯電話機の音圧特性を示し、曲線Ｂが従来の折り畳み式携帯電話機の音圧特性を示している。
図８のグラフから明らかな様に、５０００Ｈｚ前後の高音域において、曲線Ａで示す本発明の折り畳み式携帯電話機の音圧レベルが曲線Ｂで示す従来の折り畳み式携帯電話機の音圧レベルよりも高くなっている。従って、本発明の折り畳み式携帯電話機によれば、高音域を有する着信音が従来よりも高い音圧でユーザに向けて放出されることになり、これによって、ユーザはその着信音を十分な音量で聞くことが出来る。
【図面の簡単な説明】
【００２７】
【図１】本発明に係る折り畳み式携帯電話機の開き状態の斜視図である。
【図２】該折り畳み式携帯電話機の閉じ状態の斜視図である。
【図３】該折り畳み式携帯電話機の第１キャビネットを分解して示す斜視図である。
【図４】該折り畳み式携帯電話機の第１キャビネットを分解した状態を背面側から見た斜視図である。
【図５】ダクト部材の拡大斜視図である。
【図６】該折り畳み式携帯電話機の第１キャビネットから前面キャビネット半体を取り外した状態の斜視図である。
【図７】該折り畳み式携帯電話機の断面図である。
【図８】該折り畳み式携帯電話機と従来の折り畳み式携帯電話機の音圧特性を示すグラフである。
【図９】従来の折り畳み式携帯電話機の閉じ状態を示す斜視図である。
【図１０】従来の他の折り畳み式携帯電話機の閉じ状態を示す斜視図である。
【図１１】該折り畳み式携帯電話機の開き状態を示す斜視図である。
【符号の説明】
【００２８】
(１)  第１キャビネット
(11)  操作キー
(12)  送話部
(13)  第１駒部
(14)  メイン放音孔
(15)  サブ放音孔
(16)  前面キャビネット半体
(17)  背面キャビネット半体
(２)  第２キャビネット
(21)  メインディスプレイ
(22)  送話部
(23)  第２駒部
(24)  サブディスプレイ
(３)  ヒンジ機構
(４)  基板アセンブリ
(41)  スピーカ
(５)  ダクト部材
(52)  開口部
(54)  シール部材
【図１】
2005110115.tif 000003
【図２】
2005110115.tif 000004
【図３】
2005110115.tif 000005
【図４】
2005110115.tif 000006
【図５】
2005110115.tif 000007
【図６】
2005110115.tif 000008
【図７】
2005110115.tif 000009
【図８】
2005110115.tif 000010
【図９】
2005110115.tif 000011
【図１０】
2005110115.tif 000012
【図１１】
2005110115.tif 000013